(57)【特許請求の範囲】
【請求項１】
管部材の雄部と雌部との連結構造であって、
雄部は摺接シール部と雄ねじ部と、当該雄ねじ部より連結根元側に雌ねじ逃げ部を有し、
雌部は雄部に設けた摺接シール部との当接面と、雌ねじ部と、雌ねじ部より連結根元側に雄ねじ逃げ部を有し、雄部と雌部とが連結する際に前記雄ねじ部と雌ねじ部とが螺合した後に、雄ねじ部が雌部の雄ねじ逃げ部に位置し、且つ雌ねじ部が雄部の雌ねじ逃げ部に位置することで雄部と雌部とが相互回転可能になることを特徴とする管部材の連結構造。
【請求項２】
管継手であって、
継手部材は雄部と雌部とを有し、雄部は摺接シール部と、雄ねじ部と、当該雄ねじ部より連結根元側に雌ねじ逃げ部を有し、
雌部は雄部の摺接シール部との当接面と、雌ねじ部と、雌ねじ部より連結根元側に雄ねじ逃げ部を有していることを特徴とする管継手。
【発明の詳細な説明】
【技術分野】
【０００１】
本発明は管部材の連結軸を回転中心にして相互に回転可能な管部材の連結構造に関し、給湯、水栓設備の配管ヘッダーに適用するのに適している。
【背景技術】
【０００２】
給湯、水栓設備の分野においては、複数の配管部材を相互に回転可能に連結し、それぞれの配管部の単体に設けた配管接続口の接続方向が自在になるようになっているのが一般的である。
例えば特開平１１−９４１７０号には、筒部材を雄部に設けたテーパー降状部に係止するまで圧入させ、この筒部材を抜け出し不能にすることで、筒部材の側部を利用して水密状に回転可能にする連結構造を開示する。
しかし、このような連結構造では圧入した筒部材を破壊しなければ管単体を分解することができないため、一度、ヘッダーを組立ると再度分解組立が困難である技術課題があった。
【０００３】
【特許文献１】特開平１１−９４１７０号公報
【発明の開示】
【発明が解決しようとする課題】
【０００４】
本発明は、水密状にしつつ、相互に回転可能であり、組立及び分解が容易な管部材の連結構造及び、水栓ヘッダーに適用するのに好適な管継手の提供を目的とする。
【課題を解決するための手段】
【０００５】
本発明に係る管部材の連結構造は、管部材の雄部と雌部との連結構造であって、雄部は摺接シール部と雄ねじ部と、当該雄ねじ部より連結根元側に雌ねじ逃げ部を有し、雌部は雄部に設けた摺接シール部との当接面と、雌ねじ部と、雌ねじ部より連結根元側に雄ねじ逃げ部を有し、雄部と雌部とが連結する際に前記雄ねじ部と雌ねじ部とが螺合した後に、雄ねじ部が雌部の雄ねじ逃げ部に位置し、且つ雌ねじ部が雄部の雌ねじ逃げ部に位置することで雄部と雌部とが相互回転可能になることを特徴とする。
ここで、雄ねじ逃げ部とは雌ねじとの螺合が解き放され、相互の回転が可能になることをいい、同様に、雌ねじ逃げ部とは雄ねじ部との螺合が解き放され、相互に回転可能になることをいう。
例えば、雌部の内周面に環状の凹部溝を形成し、凹部溝の底部と雄ねじ部が干渉しない構造をいう。
同様に、雌ねじ逃げ部とは、雄部の外周に、雌ねじ部と干渉しない環状の凹部溝を形成する例が挙げられる。
また、ねじ部と逃げ部の位置関係は、雄部と雌部が螺合した後に、雄ねじ部が雌部の逃げ部に位置し、雌ねじ部が雄部の逃げ部に位置することで、相互に回転可能にしながら雄部と雌部が外れるのを防止したものであり、逃げ部は、ねじ部より、連結方向根元側でなければならない。
これに対して、摺接シール部は、例えば、Oリングのように相互の回転を可能にしつつ止水するのが目的であり、ねじ部に対して連結先端側でも、連結根元側でもよい。
【０００６】
上記のような構造を管継手に適用したのが請求項２記載の発明に係り、継手部材は雄部と雌部とを有し、雄部は摺接シール部と、雄ねじ部と、当該雄ねじ部より連結根元側に雌ねじ逃げ部を有し、雌部は雄部の摺接シール部との当接面と、雌ねじ部と、雌ねじ部より連結根元側に雄ねじ逃げ部を有していることを特徴とする。
このような管継手は連続的に複数連結し、それぞれが相互に回転可能になることから、給湯、水栓ヘッダーのヘッダー単位管部材として使用できる。
【発明の効果】
【０００７】
本発明においては、雄部の雄ねじ部と雌部の雌ねじ部を螺合させ、さらに回転挿入することで逃げ部を形成した環状溝部に相互に雄ねじ部及び雌ねじ部を逃げ込ませることで、ねじ部で連結部の抜け止めを図りつつ、相互に回転可能になったものである。
また、逃げ部より連結方向先端側にねじ部が位置しているので、通常はこのねじ部が管部材の抜け止めとして作用するが、再度ねじ部が螺合するように雄部と雌部を連結方向とは逆方向に回転させ、引き離すように、さらに回転するだけで、雄部と雌部を分離することができるので、Oリング等のシール部材の交換作業も容易であり、繰り返し、連結あるいは分解が可能である。
【発明を実施するための最良の形態】
【０００８】
本発明に係る管部材の連結構造を水栓ヘッダー用管継手に適用した例を以下図面に基づいて説明する。
なお、本発明に係る連結構造は、各種配管部材の連結に適用できるのは言うまでもなく、
以下説明する継手のような、１つの継手に雄部と雌部を一対にして形成するものに限定する趣旨でもない。
図１（ｂ）に継手１０の外観図を示し、図１（ａ）にその断面図を示す。
継手１０は、連通部１１をそれぞれ有する雄部２０と、雌部３０と配管接続部４０を有している。
この配管接続部４０には、分配ホース等が連結される。
雄部２０は、連結先端側にＯリング溝を形状し、Ｏリング２５を取り付けてある。
本実施例では、Oリング２５を２箇所、２重に設けてあるが、１箇所以上であれば、特に限定されない。
Oリングはゴム等の弾力材で製造されていて、雌部３０の内周部の当接面３４ａに弾性摺接シールするものである。
このＯリング２５より連結根元側に雄首外径（Oリングを取り付けた部分の雄首外径）より少し大きい径の雄ねじベース部を環状に形成し、この雄ねじベース部に雄ねじ部２１を形成してある。
雄首の外径より少し大きい径の雄ねじベース部を設けた上で、雄ねじ部を形成したのは、雄部を雌部に挿入する際に、雌ねじ部がOリングと干渉するのを避けるためである。
この雄ねじ部２１の連結根元側には環状凹部に形成した雌ねじ逃げ部２３を設けてある。
【０００９】
雌部３０は、相手側の雄部が挿入される雄部の挿入部３４を有し、その先端側に雄ねじ逃げ部３３と、さらにその先端側に雌ねじベース部３２を形成し、この雌ねじベース部３２に雌ねじ部３１を形成してある。
雄ねじ部２１と雌ねじ部３１のピッチは同じで相互に螺合できる関係にある。
また、雄ねじ部２１の軸方向幅と雌ねじ部３２の軸方向幅が同じ寸法になっていて、雄ねじ部２１の幅と雄ねじ逃げ部３３の幅は概ね等しいか、若干雄ねじ逃げ部の幅の方が広くなっている。
雌ねじ部３１の幅と雌ねじ逃げ部２３の幅も上記と同様の関係になっている。
【００１０】
図２には、ヘッダー単位となる継手１０と継手１０ａとを連結する手順を示す。
図２（ａ）に示すように、継手１０ａの雄部を継手１０の雌部に挿入すると、Ｏリングは雌ねじ部３１を通過して継手１０と継手１０ａとを相互に螺合すると、図２（ｂ）に示すように雌部３０のＯリング当接面３４ａにシール当接する。
さらに螺合回転を進めると図２（ｃ）に示すように、雄ねじ部２１が雌部３０の環状凹部に形成した雄ねじ逃げ部３３に位置し、雌ねじ部３１が雄部２０の環状凹部に形成した雄ねじ逃げ部３３に位置する。
また、雌ねじ逃げ部２３と雄ねじ逃げ部３３の少なくとも一方を環状の溝状凹部に形成することで、逃げ部に位置した相手側のねじ部は当該溝状凹部の連結根元側の側壁と干渉して、それ以上奥深く雄部２０が雌部３０に挿入されないようになっている。
なお、逃げ部に相手側のねじ部が位置し、相互の螺合が解き放され、それ以上に雄部が深く差し込まれないようになっていれば、逃げ部を必ずしも溝状凹部にする必要はない。
これにより相互にねじ部での螺合は解かれ、図３に示すように相互に回転可能になる。
このように、雄部と雌部の抜け止めを雄ねじ部と雌ねじ部の抜け方向の干渉にて図った構造であるため、分解するときには、連結方向とは逆方向に回転し、再度螺合させ、さらに回転することで簡単に連結部の結合を分離することもでき、再度連結することもできる。
【図面の簡単な説明】
【００１１】
【図１】本発明に係る継手の構造例を示す。
【図２】本発明に係る管部材の連結例を示す。
【図３】管部材が相互に回転可能であることの説明図を示す。
【符号の説明】
【００１２】
１０    継手
１１    連通部
２０    雄部
２１    雄ねじ部
２２    雄ねじベース部
２３    雌ねじ逃げ部
２４    Ｏリング溝
２５    Ｏリング
３０    雌部
３１    雌ねじ部
３２    雌ねじベース部
３３    雄ねじ逃げ部
３４    雄部の挿入部
４０    配管接続部
【要約】
【課題】水密状にしつつ、相互に回転可能であり、組立及び分解が容易な管部材の連結構造及び、水栓ヘッダーに適用するのに好適な管継手の提供を目的とする。
【解決手段】管部材の雄部と雌部との連結構造であって、雄部は摺接シール部と雄ねじ部と、当該雄ねじ部より連結根元側に雌ねじ逃げ部を有し、雌部は雄部に設けた摺接シール部との当接面と、雌ねじ部と、雌ねじ部より連結根元側に雄ねじ逃げ部を有し、雄部と雌部とが連結する際に前記雄ねじ部と雌ねじ部とが螺合した後に、雄ねじ部が雌部の雄ねじ逃げ部に位置し、且つ雌ねじ部が雄部の雌ねじ逃げ部に位置することで雄部と雌部とが相互回転可能になることを特徴とする。
【選択図】  図１【図１】
0004020407.tif 000002
【図２】
0004020407.tif 000003
【図３】
0004020407.tif 000004